(57)【要約】【課題】  洗濯物をピンチなる乾燥具に吊るし乾燥させた場合に、洗濯物の取り外しを迅速化して、取り入れの手数を省力化する。  簡素な構成にて価格が低廉であり、使用に便利であり、機能の良いこと、破損の恐れの無い構成であること等が要求される。【手段】  金属、又は合成樹脂等にて枠状のピンチ開き具を作成し、この開き具の中に、ピンチを嵌め入れ、ピンチのＶ字形を利用して、ピンチより洗濯物を取り外す。【選択図】図１
2009045408.tif 000002
【特許請求の範囲】
【請求項１】
吊り手にて横体に吊られる枠形状の開き具の枠内に、Ｖ字形状の洗濯物乾燥用ビンチをを縦に嵌入し、ピンチのＶ字形状にて開き具に自由支持されて成ることを特徴とした洗濯物取り外し装置。
【請求項２】
請求項１記載の洗濯物取り外し装置において、洗濯物乾燥用ピンチの摘み部の上端に、止め突起を設けて成ることを特徴とする洗濯物取り外し装置。
【請求項３】
請求項１記載の洗濯物取り外し装置において、洗濯物乾燥用ピンチの挟み部に被せ使用るための洗濯物取り外し装置の保護カバー。
【請求項４】
請求項１記載の洗濯物取り外し装置において、枠状形の開き具内をＶ字状の洗濯物乾燥用ピンチが摺胴することにより挟み部を開口せしめることを特徴とする洗濯物取り外し方法。
【発明の詳細な説明】
【技術分野】
【０００１】  本発明は、一般家庭において衣類、布製品等を洗濯したる場合の乾燥用具と、洗濯物を、乾燥用具より取り外す方法に関するものである。
【背景技術】
【０００２】  一般家庭において衣類、布製品等を洗濯した場合の乾燥用具として、洗濯物を挟み吊るす乾燥用具がピンチなる名称にて呼称され、広く普及し一般化されている。
洗濯挟みは相当古くより存在しており当初は木製であったが、プラスチック等の合成樹脂の出現にて合成樹脂製品に変更された、しかし木製も合成樹脂製も構成上では類似のものである。
洗濯挟みは合成樹脂製に変更されてより相当な年月を経過しているが、その間にバネの形状が変化した程度であって、構成上においての変化は長年無かったが、近年に至り、金属線製のピンチ、或いは、洗濯物の取り外しを迅速化したピンチが出現しているが、性能が悪く、高価なるため実用性が無く、そのため普及するに至って居ない。【０００３】
【特許文献】  実用新案登録第３００９６４５号  実用新案登録第３０２９１０３号  特開２００４−３５１１７９  特開２００５−１３７７４６
【発明の開示】
【発明が解決しようとする課題】
【０００４】  一般家庭用の洗濯物乾燥具としては、吊り挟み具、即ちピンチを、多数吊るしたものが、広く普及している、この乾燥具に洗濯物を吊るす場合は手数を要するが、それは仕方のない事であるが、乾燥後の洗濯物を取り入れる場合に、迅速化する事が要望されて居り、その要望に応えるピンチが近年に種々開発され市場にて販売されたが、性能において、実用にならないもの或いは、実用になるとしても短期間にて破損し、耐久性に劣るもの等であり、需要者を満足させ得るものでなく、安価にて長年月の使用に耐え、乾燥後の取り入れを迅速化する乾燥具が待望されて居る。
【課題を解決するための手段】
【０００５】  本発明は上記問題点を解決するために成されたものであって、乾燥を終えた洗濯物を、ピンチより取り外す場合に通常はピンチの上端の摘み部を指先にて挟み圧して、ピンチの下端の挟み部を開き、洗濯物をピンチより外していた、この方法が一般的な取り外し方法であるが、多数の洗濯物を迅速に取り入れる事ができない。
洗濯物を迅速に取り入れるには、洗濯物を下方に引いてビンチより引き離す、この方法が唯一の引き外し手段であり、その手段方法として、色々な仕方が考出され市場にも、僅かながら販売されたが、性能、耐用に劣るため商業的に成功していない。
本発明は従来のピンチを枠状の開き具の中に入れ、開き具内にてピンチが摺動する事によりピンチの摘み部を内方向に押し、ピンチの挟み部を開き洗濯物を解放させる。
本発明は従来ピンチのＶ字形状を活用したものであって、枠によりＶ字状のピンチを開口させる方式のものである。
本発明の開き具は、金属、又は合成樹脂等にて作られた矩形状の枠状のものであるが、矩形に限定されたものでなく、円環形にても可能なることは勿論である。
本発明は洗濯物を僅かな引き力にて、ピンチより取り外す事が可能なるため、洗濯物を殆ど損傷を与えないが、ピンチの挟み部に、洗濯物を保護するための保護カバーを設ける事によりピンチの挟み部が洗濯物に直接に接することを防ぎ洗濯物の損傷を完全に防止することができる。
本発明は洗濯物を僅少な引き力にて引く事により洗濯物をピンチより離脱でき、そのため洗濯物取り入れ作業が極めて損傷無く迅速化される。
開き具の内部に入れられたるピンチは通常の使用状態では開き具より脱落しないが、不測の変則事態にて脱落する恐れがあり、それを防止するためピンチの摘み部の上端に止突起を設け、開き具よりピンチが脱落することを防止する。
開き具に取り付けられる吊り手は金属線、又は合成樹脂、天然繊維等にて作られた、従来のピンチに使用された吊り手と同種の物を利用しても良いことは勿論である。
【発明の効果】
【０００６】  本発明は次に記載する効果を奏する、構成が極めて簡単なるため製造が容易であり、且つ製造原価が低廉になる、そのため販売価格も勿論低廉化できる。
本発明は洗濯物を僅かな引き下げ力にてピンチより引き離す事が可能なるため、洗濯物をまとめて複数を一度に取り入れる事ができ、洗濯物を損傷せず、長期間の使用が可能であり理想的な乾燥具を提供するものである。
【発明を実施するための最良の形態】
【０００７】  合成樹脂成型したる矩形状の開き具に吊り手を装着し、開き具の中に従来の洗濯物乾燥用ピンチを嵌め入れて成る、構成の洗濯物乾燥用吊り具。
上記構成のピンチの挟み部に保護カバーを装着すれば、更に安全性の向上した最良の乾燥具にすることができる。
【実施例】
【０００８】  以下本発明を図面に基づき詳細に説明する、本発明は従来より一般にてピンチなる名称にて称呼され広く普及しているＶ字状形の洗濯物乾燥用挟み具に一部品を組み合わせ洗濯物の取り外しを容易、迅速化したものである。
［図１］は本発明の洗濯物取り外し装置及び取り外し方法における、本体の正面図にして、洗濯物を吊した場合の状態図である、１はピンチ片Ａであって、２はピンチ片Ｂである、３は支点、４はバネ、５は挟み部Ａ、６は挟み部Ｂ、７は摘み部Ａ、８は摘み部Ｂである、これ等の各部は、従来の洗濯物乾燥用ピンチと全く同じものであるため、その構成、作用の説明は省略する。
９は開き具であって、本発明は、この開き具９に従来のピンチを嵌入したものである、１２は開き具９に取り付けられた吊り手であって、従来のピンチに取り付けられた吊り手と全く同じ素材にて同じに作られ目的も同じものである、本発明では開き具９に吊り手１２が取り付けられて居るため、ピンチ自体には吊り手が取り付けられて居らず、ピンチ本体は開き具９の枠中にてフリー状態にてＶ字形を利用して支えられている。【０００９】  ［図２］は開き具９の平面図であって、矩形の枠状を成しており、この枠内に従来のピンチが嵌入される、１３は滑り部であって、この部分にビンチの摺動部１４が接してピンチを受け止めている。
１１は吊り手止め部であって孔が設けられて居り、この孔に吊り手１２の下端が挿入され取り付けられる、この吊り手止部１１は二か所あり、開き具９を略、水平に保つ働きを成す。
開き具９の素材としては、硬質の合成樹脂による成型が最も好適であるが、金属線、又は金属板、合成樹脂板等の打ち抜き加工にても製作可能な事は勿論である。
［図３］は開き具９の正面図であって、吊り止部１１に吊り手１２が取り付けられた状態を示した図である、吊り手１２の素材としては、金属線又は合成樹脂繊維，合成樹脂成型等、従来のピンチに使用されて居た吊り手と同種のものを同様に使用する。
［図４］は開き９を円形にした場合の、円環形開き具１５の平面図である、本発明の洗濯物取り外し装置の開き具９の形状は、矩形、円形に限定されたものでなく、ピンチの摺動部１４に接し摺動する形状であれば、どのような形状にても良いことは勿論であるが、使い便利、美観面、製造面等から検討すれば矩形状が最適であろう。【００１０】  ［図５］は本発明の洗濯物取り外し装置の側面図にして吊り手１２の記載は図面の繁雑を避けるため切断したものであって、実際はつながったものである。
本発明装置は、図面にて示すように、実に簡潔な構成であるため、破損の恐れが無く、組み立ても極めて簡単、容易である、現今の製造産業は人件費を軽減することが最大の要求であり、本発明は製造に手数を要しない事を最重点として発明されたものである。
［図６］は本発明の洗濯物取り外し装置が洗濯物を放した場合の状態を示した正面図である、洗濯物をピンチに挟み乾燥させる、この時の状態が［図１］であって、開き具９はバネ４の少し上に位置して居る。
洗濯物が乾燥すれば、その洗濯物を手に持ち下方に引けば、ピンチ片Ａ１及びピンチ片Ｂ２は下方に引かれ、ピンチ片Ａ１及びピンチ片Ｂ２、夫々の摺動部１４は開き具９の滑り部１３に押圧されながら下方に滑降する、このためピンチ片Ａ１及びピンチ片Ｂ２は内方向に押し圧され、挟み部Ａ５及び挟み部Ｂ６は開き洗濯物を放す。
ピンチのバネ４の弾力は、かなり強力であるが、挟み部Ａ５及び挟み部Ｂ６が、０、２ｍｍ乃至０，４ｍｍ開けば、洗濯物は保持されず離れる、このようなため洗濯物を取り入れるには洗濯物を、極めて僅か下方に引けば取り入れができる、その引き力も５００ｇ程度の引き力が好適であり、本発明はそれが可能である。
従来のピンチそのものに挟まれた洗濯物を引き離すには、約２ｋｇの引き力が必要であり、そのような強力にて引き外せば、洗濯物を甚だしく損傷する。
摘み部Ａ７及び摘み部Ｂ８，夫々の上端に、止め突起１０が設ける，この止め突起１０は、開き具９に当たる事により、ピンチ本体が開き具９より脱落する事を防止する。【００１１】  ［図７］は本発明の洗濯物取り外し装置において、洗濯物の損傷を保護するための、保護カバー１６の使用説明図である。
本発明の洗濯物取り外し装置は、洗濯物を傷めない事が大きな特徴であるが、布地の質によって、損傷する恐れのあるものがあり、そのような事態を防止するため、布地に優しい素材にて保護カバー１６を作り、それを、ピンチの挟み部Ａ５及び挟み部Ｂ６に被せる。
保護カバー１６は極めて安価な消耗品であるため、損傷すれば、使用者が取り替える。
大きな洗濯物は、ピンチにて乾燥させないのが常識だが、本発明のピンチにて大きな物を乾燥させる場合には２個乃至３個のピンチを併用すれば大物も乾燥可能である。
本発明の洗濯物取り外し装置に洗濯物を吊す手数は従来のピンチの場合と全く同じであるが、取り外しの手数は各段に迅速になり、子供にても大人と同様に取り入れができる。
本発明は、このような実施例に何等限定されるものでなく、本発明の要旨を逸脱しない範囲において種々なる態様にて実施し得ることは勿論である。
【産業上利用の可能性】
【００１２】  本発明は極めて簡素な構成なるため、廉価にて生産ができ、そのため安価に販売ができ又乾燥後の取り入れ手数を大幅に軽減するため生活上に多大な効果を発生する、そのようなため産業上に大きく期待されている。
【図面の簡単な説明】
【００１３】
【図１】は本発明の洗濯物取り外し装置及び取り外し方法における本体の正面図である。
【図２】は本発明の洗濯物取り外し装置の開き具９の平面図である。
【図３】は本発明の洗濯物取り外し装置の開き具９の正面図である。
【図４】は本発明の洗濯物取り外し装置の円形開き具１５の平面図である。
【図５】は本発明の洗濯物取り外し装置の本体側面図である。
【図６】は本発明の洗濯物取り外し装置の作動状態時の正面図である。
【図７】は本発明の洗濯物取り外し装置の保護カバー１６の説明図である。
【符号の説明】
【００１４】  １  ピンチ片Ａ
２  ピンチ片Ｂ
３  支点
４  バネ
５  挟み部Ａ
６  挟み部Ｂ
７  摘み部Ａ
８  摘み部Ｂ
９  開き具
１０  止め突起
１１  吊り手止め部
１２  吊り手
１３  滑り部
１４  摺動部
１５  円環形開き具
１６  保護カバー
【図１】
2009045408.tif 000003
【図２】
2009045408.tif 000004
【図３】
2009045408.tif 000005
【図４】
2009045408.tif 000006
【図５】
2009045408.tif 000007
【図６】
2009045408.tif 000008
【図７】
2009045408.tif 000009